【手続補正書】
【提出日】平成15年9月17日(2003.9.17)
【手続補正１】
【補正対象書類名】明細書
【補正対象項目名】特許請求の範囲
【補正方法】変更
【補正の内容】
【特許請求の範囲】
【請求項１】
複数行複数列のマトリックス状に配列されている複数の変動表示領域の各々に複数種類の識別情報を変動表示可能な変動表示装置を備え、
所定条件の成立に応じて始動権利が発生し、該始動権利に基づいて、前記複数の変動表示領域でそれぞれ複数種類の識別情報を変動表示する変動表示遊技を行い、該変動表示遊技の結果、予め設定された有効ラインの少なくとも１本のライン上において識別情報の組み合わせが特定の態様となることに関連して、遊技者に有利な特別遊技状態を発生可能な制御を行うと共に、前記変動表示遊技の始動権利が所定数記憶可能な制御装置を備える遊技機において、
前記制御装置は、前記始動権利の記憶数に関連して、前記有効ラインの設定を変化可能な有効ライン設定手段を備え、
記憶されている複数の始動権利の中から複数の始動権利を抽出するに際して、抽出予定の複数の始動権利の中に、大当たり始動権利があるかどうかの判定を行うと共に、それが１つだけ存在しているのか、複数存在しているのかを判定し、
大当たり始動権利が１つだけである場合には、始動権利の１記憶に対して１の有効ラインを割り当て、記憶されている全ての始動権利数分の有効ラインを有する変動表示遊技を行い、一方、大当たり始動権利が複数あると判断された場合には、当該複数の始動権利を記憶の古い順にして、始めに記憶されたものから初めて大当たり始動権利が現れるまでの記憶を抽出して始動権利の１記憶に対して１の有効ラインを割り当て、抽出した始動権利数分の有効ラインを有する変動表示遊技を行うことを特徴とする遊技機。
【請求項２】
抽出予定の複数の始動権利の中に、大当たり始動権利がない場合には、現状の始動権利の記憶数分全てを同時消化、若しくは、ランダムカウンタの値に基づいて、抽出する始動権利の記憶数を決定し、該決定した記憶数分を同時消化することを特徴とする請求項１に記載の遊技機。
【手続補正２】
【補正対象書類名】明細書
【補正対象項目名】０００７
【補正方法】変更
【補正の内容】
【０００７】
【課題を解決するための手段】
前記課題を解決するため、
請求項１記載の発明は、複数行複数列のマトリックス状に配列されている複数の変動表示領域の各々に複数種類の識別情報を変動表示可能な変動表示装置を備え、
所定条件の成立に応じて始動権利が発生し、該始動権利に基づいて、前記複数の変動表示領域でそれぞれ複数種類の識別情報を変動表示する変動表示遊技を行い、該変動表示遊技の結果、予め設定された有効ラインの少なくとも１本のライン上において識別情報の組み合わせが特定の態様となることに関連して、遊技者に有利な特別遊技状態を発生可能な制御を行うと共に、前記変動表示遊技の始動権利が所定数記憶可能な制御装置を備える遊技機において、
前記制御装置は、前記始動権利の記憶数に関連して、前記有効ラインの設定を変化可能な有効ライン設定手段を備え、
記憶されている複数の始動権利の中から複数の始動権利を抽出するに際して、抽出予定の複数の始動権利の中に、大当たり始動権利があるかどうかの判定を行うと共に、それが１つだけ存在しているのか、複数存在しているのかを判定し、
大当たり始動権利が１つだけである場合には、始動権利の１記憶に対して１の有効ラインを割り当て、記憶されている全ての始動権利数分の有効ラインを有する変動表示遊技を行い、一方、大当たり始動権利が複数あると判断された場合には、当該複数の始動権利を記憶の古い順にして、始めに記憶されたものから初めて大当たり始動権利が現れるまでの記憶を抽出して始動権利の１記憶に対して１の有効ラインを割り当て、抽出した始動権利数分の有効ラインを有する変動表示遊技を行うことを特徴とする。


【手続補正３】
【補正対象書類名】明細書
【補正対象項目名】０００８
【補正方法】変更
【補正の内容】
【０００８】
ここで、遊技機としては、球を遊技媒体とする弾球遊技機、例えば、パチンコ遊技機、アレンジボール遊技機、或いは雀球遊技機などが挙げられる。
識別情報には、数字、文字、記号及びキャラクタ、並びに色彩など、視覚により識別可能な識別図柄（識別標識）等が含まれる。
変動表示領域とは、変動表示装置の表示画面において識別情報を変動表示させる表示領域であり、変動表示装置に複数設けられている。変動表示装置における変動表示領域の構成としては、例えば、複数列複数行（例えば、横３列縦３行等）のマトリックス状の変動表示領域等がある。３列３行のマトリックス状の変動表示領域を有している場合には、３×３＝９つの変動表示領域を有しており、それぞれの変動表示領域で複数種類の識別情報が変動表示可能となっている。また、変動表示領域は複数行複数列のマトリックス状に配列されていれば、行数（縦方向の数）及び列数（横方向の数）に限定はなく、３行３列のように行数と列数が同じものであっても、３行４列のように行数及び列数が異なるものであっても良い。
なお、変動表示領域が３行３列のマトリックス状に配列されている場合（右，中央，左，右上，中上，左上，右下，中下，左下の９つの変動表示領域を有する場合）、変動表示装置の表示画面では、中央横方向ライン（右−中央−左の各変動表示領域で構成される）、上側横方向ライン（右上−中上−左上の各変動表示領域で構成される）、下側横方向ライン（右下−中下−左下の各変動表示領域で構成される）、右上がり斜め方向ライン（左下−中央−右上の各変動表示領域で構成される）、右下がり斜め方向ライン（右上−中央−左下の各変動表示領域で構成される）、中央縦方向ライン（中上−中央−中下の各変動表示領域で構成される）、右側縦方向ライン（右上−右−右下の各変動表示領域で構成される）、左側縦方向ライン（左上−左−左下の各変動表示領域で構成される）の合計８本の有効ラインを配置することができる。
変動表示装置は、液晶表示装置、ＣＲＴ（陰極線管）表示装置、多数の発光素子を配列した表示装置、回転ドラムを使用したメカ式の表示装置などの単体の装置であっても、また、これら装置の組み合わせでもよく、有効ラインが増減する等、有効ラインの設定が変化可能となっているものであれば良い。
始動権利には、変動表示遊技の開始指示や、識別情報の組み合わせ態様等に関するデータ（乱数値）が含まれており、遊技球の始動口への入賞をセンサなどが検知する等の所定条件の成立に基づき発生し、この始動権利に基づいて、該当する制御装置が変動表示遊技を開始させる制御を行うようになっている。
また、遊技の所定期間中（例えば、変動表示遊技中や特別遊技状態の継続中等の、始動権利に基づいて次の変動表示遊技をすぐに開始できない期間）に、始動権利が発生した場合には、所定数（例えば８個まで）を記憶可能となっている。前記始動権利が記憶されている場合には、変動表示遊技の開始条件が成立（前の変動表示遊技が終了する、又は特別遊技状態が終了する等）したら、次の変動表示遊技を開始し、当該始動権利を消化するようになっている。
有効ラインとは、２以上の変動表示領域同士の特定位置間を結んだラインのうち、変動表示遊技の結果、当該ライン上に停止表示された識別情報の組み合わせが特定の組み合わせ態様となることに関連して、特別遊技状態を発生させうるラインのことをいう。
「識別情報の組み合わせが特定の態様となる」とは、例えば、停止表示された識別情報の組み合わせが「７，７，７」のぞろ目などの予め定められた特定の状態となることである。
特別遊技状態とは、通常遊技時に比べて多数の遊技媒体（遊技価値）を獲得し易い遊技状態をいい、例えば、第１種のパチンコ遊技機における大入賞口（特別変動入賞装置ともいう。）の開放、第３種のパチンコ遊技機における権利発生の状態、或いは電動役物を複数備えた一般電役機における電動役物を連続して開放させる状態などがある。
「有効ラインの設定が変化」するとは、例えば、有効ライン数が増減する、有効ラインの場所が一のラインから他のラインに替わる等があり、前記した２つの変化（有効ライン数が増減すること及び有効ラインの場所が替わること）が同時に行われても良い。
大当たり始動権利とは、当該始動権利を割り当てた有効ラインにおいて識別情報の停止組み合わせが「７，７，７」等の特定の態様となるデータを有している始動権利であり、当該始動権利を１の有効ラインに割り当てた変動表示遊技が行われることに関連して、特別遊技状態（大当たり状態）が発生するものである。
【手続補正４】
【補正対象書類名】明細書
【補正対象項目名】０００９
【補正方法】変更
【補正の内容】
【０００９】
この請求項１記載の発明によれば、変動表示遊技の始動権利の記憶数と、有効ラインの設定の変化を関連付けることができるため、遊技に変化を持たせることができると共に、遊技者に始動権利の記憶数の増減に対する興味を持たせることができ、遊技の興趣を高めることができる。
また、１の変動表示遊技の結果、複数の特別遊技状態が発生する不具合を起こさないようにすることができる。
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】変更
【補正の内容】
【００１２】
また、変動表示装置の変動表示領域が複数行複数列のマトリックス状に配列されているため、効率的に複数の有効ラインを配置することができ、視覚的に効果の高い変動表示遊技とすることができる。
【手続補正８】
【補正対象書類名】明細書
【補正対象項目名】００１３
【補正方法】削除
【補正の内容】
【手続補正９】
【補正対象書類名】明細書
【補正対象項目名】００１４
【補正方法】削除
【補正の内容】
【手続補正１０】
【補正対象書類名】明細書
【補正対象項目名】００１５
【補正方法】削除
【補正の内容】
【手続補正１１】
【補正対象書類名】明細書
【補正対象項目名】００１６
【補正方法】変更
【補正の内容】
【００１６】
請求項２記載の発明は、請求項１記載の遊技機において、抽出予定の複数の始動権利の中に、大当たり始動権利がない場合には、現状の始動権利の記憶数分全てを同時消化、若しくは、ランダムカウンタの値に基づいて、抽出する始動権利の記憶数を決定し、決定した記憶数分を同時消化することを特徴とする。
【手続補正１２】
【補正対象書類名】明細書
【補正対象項目名】００１７
【補正方法】変更
【補正の内容】
【００１７】
ここで、ランダムカウンタの値に基づいて同時消化されるとは、変動表示遊技を開始する前に、その時点での記憶数以下の整数値で構成される乱数の中から任意の乱数値を取り出し、取り出した乱数値によって当該変動表示遊技において同時消化される始動権利数が決定されるというものが挙げられる。


【手続補正１３】
【補正対象書類名】明細書
【補正対象項目名】００１８
【補正方法】変更
【補正の内容】
【００１８】
この請求項２記載の発明によれば、始動権利の記憶数に関連して、例えば、有効ライン数が増減する等、有効ラインの設定が変化可能となっていることによって、遊技に変化を与えることができ、遊技の興趣を高めることができる。また、複数の始動権利を同時消化することによって、１の変動表示遊技の重要性が高くなり、さらに遊技の興趣を高めることができる。
【手続補正１４】
【補正対象書類名】明細書
【補正対象項目名】００１９
【補正方法】削除
【補正の内容】
【手続補正１５】
【補正対象書類名】明細書
【補正対象項目名】００２０
【補正方法】削除
【補正の内容】
【手続補正１６】
【補正対象書類名】明細書
【補正対象項目名】００２１
【補正方法】削除
【補正の内容】
【手続補正１７】
【補正対象書類名】明細書
【補正対象項目名】００２２
【補正方法】削除
【補正の内容】
【手続補正１８】
【補正対象書類名】明細書
【補正対象項目名】００２３
【補正方法】削除
【補正の内容】
【手続補正１９】
【補正対象書類名】明細書
【補正対象項目名】００２４
【補正方法】削除
【補正の内容】
【手続補正２０】
【補正対象書類名】明細書
【補正対象項目名】００２５
【補正方法】削除
【補正の内容】
【手続補正２１】
【補正対象書類名】明細書
【補正対象項目名】００２６
【補正方法】削除
【補正の内容】
【手続補正２２】
【補正対象書類名】明細書
【補正対象項目名】００２７
【補正方法】削除
【補正の内容】
【手続補正２３】
【補正対象書類名】明細書
【補正対象項目名】００２８
【補正方法】削除
【補正の内容】
【手続補正２４】
【補正対象書類名】明細書
【補正対象項目名】００２９
【補正方法】削除
【補正の内容】
【手続補正２５】
【補正対象書類名】明細書
【補正対象項目名】００８２
【補正方法】変更
【補正の内容】
【００８２】
【発明の効果】
請求項１記載の発明に係る遊技機によれば、変動表示遊技の始動権利の記憶数と、有効ラインの設定の変化を関連付けることができるため、遊技に変化を持たせることができると共に、遊技者に始動権利の記憶数の増減に対する興味を持たせることができ、遊技の興趣を高めることができる。
また、１の変動表示遊技の結果、複数の特別遊技状態が発生する不具合を起こさないようにすることができる。
【手続補正２６】
【補正対象書類名】明細書
【補正対象項目名】００８３
【補正方法】変更
【補正の内容】
【００８３】
また、変動表示装置の変動表示領域が複数行複数列のマトリックス状に配列されているため、効率的に複数の有効ラインを配置することができ、視覚的に効果の高い変動表示遊技とすることができる。


【手続補正２７】
【補正対象書類名】明細書
【補正対象項目名】００８４
【補正方法】変更
【補正の内容】
【００８４】
請求項２記載の発明に係る遊技機によれば、始動権利の記憶数に関連して、例えば、有効ライン数が増減する等、有効ラインの設定が変化可能となっていることによって、遊技に変化を与えることができ、遊技の興趣を高めることができる。また、複数の始動権利を同時消化することによって、１の変動表示遊技の重要性が高くなり、さらに遊技の興趣を高めることができる。
【手続補正２８】
【補正対象書類名】明細書
【補正対象項目名】００８５
【補正方法】削除
【補正の内容】
【手続補正２９】
【補正対象書類名】明細書
【補正対象項目名】００８６
【補正方法】削除
【補正の内容】
【手続補正３０】
【補正対象書類名】明細書
【補正対象項目名】００８７
【補正方法】削除
【補正の内容】
【手続補正３１】
【補正対象書類名】明細書
【補正対象項目名】００８８
【補正方法】削除
【補正の内容】
【手続補正３２】
【補正対象書類名】明細書
【補正対象項目名】００８９
【補正方法】削除
【補正の内容】